(57)【要約】【課題】プロジェクタに、レーザポインタ２２を充電する機能を設ける。プロジェクタ備え付けのレーザポインタ２２に、各種の便利な機能を付加する。【解決手段】スクリーン１６に対して指定された画像１８を投影する機構を有する投影機能部１２と、スクリーン１６にレーザビーム２０を照射するためのレーザポインタ２２に、外部電源端子２４が設けられている時、この外部電源端子２４に電気接続しレーザポインタ２２の駆動用電池２６を充電する端子構造を有する充電用端子１４とを備える。【選択図】図１
2008003191.tif 000002
【特許請求の範囲】
【請求項１】
スクリーンに対して指定された画像を投影する機構を有する投影機能部と、
前記スクリーンにレーザビームを照射するためのレーザポインタの駆動用電池に直接または間接的に電気接続し、前記駆動用電池を充電する電源部を備えたことを特徴とする画像投影装置。
【請求項２】
請求項１に記載の画像投影装置において、
前記投影機能部は本体ケースに収容されており、この本体ケースには、駆動用電池の充電状態でレーザポインタを前記本体ケースの一部に固定する、ポインタクランプが設けられていることを特徴とする画像投影装置。
【請求項３】
請求項２に記載の画像投影装置において、
前記レーザポインタは本体ケースに収容された状態で点燈されるスイッチを有し、前記ポインタクランプは、前記投影機能部が前記スクリーンに基準状態で画像を投影した時に、基準位置にレーザビームが照射される姿勢で、前記レーザポインタと前記本体ケースとを固定していることを特徴とする画像投影装置。
【請求項４】
請求項１乃至２のいずれかに記載の画像投影装置において、
投影機能部の前記充電用端子は、当該投影機能部の動作を遠隔制御するリモートコントローラの電源端子に電気接続されて、当該リモートコントローラを充電する端子構造を有していることを特徴とする画像投影装置。
【請求項５】
請求項１乃至２のいずれかに記載の画像投影装置において、
前記リモートコントローラは、前記投影機能部の投影する画像を記憶して、投影動作を制御する携帯型端末装置であって、このリモートコントローラに、前記レーザポインタが一体化されていることを特徴とする画像投影装置。
【発明の詳細な説明】
【技術分野】
【０００１】
本発明は、講演等のプレゼンテーションに使用される画像投影装置に関する。
【背景技術】
【０００２】
講演等のプレゼンテーションには、オーバーヘッドプロジェクタや液晶プロジェクタが使用される。このとき、スクリーン上の画像を指示するのにレーザポインタが使用される。この種のレーザポインタには各種の改良が加えられている（特許文献１参照）。
【特許文献１】特開２０００−２７５５７４号公報
【発明の開示】
【発明が解決しようとする課題】
【０００３】
プレゼンテーション開始時にレーザポインタの準備を忘れることがある。これには、プロジェクタの付属品としてレーザポインタを設けておくとよい。しかし、レーザポインタの電池が消耗していて利用できないこともある。上記の課題を解決するために、本発明は次のような画像投影装置等を提供することを目的とする。即ち、プロジェクタに、レーザポインタを充電する機能を設ける。また、プロジェクタ備え付けのレーザポインタに、各種の便利な機能を付加する。
【課題を解決するための手段】
【０００４】
以下の構成は上記の課題を解決するための手段である。
〈構成１〉  スクリーンに対して指定された画像を投影する機構を有する投影機能部と、上記スクリーンにレーザビームを照射するためのレーザポインタの駆動用電池に直接または間接的に電気接続し、上記駆動用電池を充電する電源部を備えたことを特徴とする画像投影装置。
【０００５】
レーザポインタに外部電源端子が設けられていれば、投影機能部の充電用端子に直接電気接続をして、レーザポインタの駆動用電池を充電できる。また、電磁誘導結合により間接的に電気接続をして充電も可能である。レーザポインタを使用していない時に電気接続しておけば、レーザポインタを常に充電された状態に維持することができる。
【０００６】
〈構成２〉  構成１に記載の画像投影装置において、上記投影機能部は本体ケースに収容されており、この本体ケースには、駆動用電池の充電状態でレーザポインタを前記本体ケースの一部に固定する、ポインタクランプが設けられていることを特徴とする画像投影装置。
【０００７】
レーザポインタの駆動用電池を充電状態のまま固定できるので、レーザポインタを使用していない時に固定しておけば確実に充電ができる。
【０００８】
〈構成３〉  構成２に記載の画像投影装置において、上記レーザポインタは、本体ケースに収容された状態で点燈されるスイッチを有し、上記ポインタクランプは、上記投影機能部が上記スクリーンに基準状態で画像を投影した時に、基準位置にレーザビームが照射される姿勢で、上記レーザポインタと上記本体ケースとを固定していることを特徴とする画像投影装置。
【０００９】
投影装置の画像投影位置の調整作業にレーザビームを使用できる。画像全体をスクリーンに投影しないでも、画像の位置やサイズを事前調整できる。この調整作業でレーザポインタの電力を消耗するおそれもない。
【００１０】
〈構成４〉  構成１乃至２のいずれかに記載の画像投影装置において、投影機能部の上記充電用端子は、当該投影機能部の動作を遠隔制御するリモートコントローラの電源端子に電気接続されて、当該リモートコントローラを充電する端子構造を有していることを特徴とする画像投影装置。
【００１１】
充電用端子の端子構造を共通化しておくと、一方を使用中に他方を充電することができる。
【００１２】
〈構成５〉  構成１乃至２のいずれかに記載の画像投影装置において、上記リモートコントローラは、上記投影機能部の投影する画像を記憶して、投影動作を制御する携帯型端末装置であって、このリモートコントローラに、上記レーザポインタが一体化されていることを特徴とする画像投影装置。
【００１３】
携帯型端末装置にレーザポインタが一体化されていると、全ての操作が携帯型端末装置で可能になる。
【発明を実施するための最良の形態】
【００１４】
以下、本発明の実施の形態を実施例毎に詳細に説明する。
【実施例１】
【００１５】
図１は実施例１の画像投影装置１０を示す斜視図である。
画像投影装置１０は、投影機能部１２と充電用端子１４とを備えている。投影機能部１２は、所定間隔を置いて配置されるスクリーン１６に対して、指定された画像１８を投影する機構を有するものである。投影機能部１２は、本体ケース３６に収容されている。本体ケース３６の図中右肩部分に切り欠きがあって、ここにレーザポインタ２２を乗せるスペースが設けられている。レーザポインタ２２には、外部電源端子２４と、レーザビーム２０を照射するための周知機構とが設けられている。
【００１６】
充電用端子１４は、レーザポインタ２２の外部電源端子２４に電気接続できる位置に配置されている。この端子構造は、ちょうど、既知の携帯電話の充電用クレードルと同様の構成にすればよい。こうして、レーザポインタ２２の駆動用電池２６を充電する。なお、電子機器の充電方法には電磁誘導結合を利用したものも知られている。例えば、図の電源部２８に１次コイルを電気接続し、駆動用電池２６に２次コイルを電気接続する。これにより、無接点での充電も可能である。
【００１７】
この画像投影装置１０は、オーバーヘッドプロジェクタや液晶プロジェクタ等の任意のプレゼンテーション用装置として利用できる。投影機能部１２は既知の画像投影機構を有する。レーザポインタ２２は、プレゼンテーションの際にスクリーン１６にレーザビーム２０を照射するために使用される。このレーザポインタ２２に外部電源端子２４が設けられているので、投影機能部１２の充電用端子１４に接続をして、レーザポインタ２２の駆動用電池２６を充電できる。従って、レーザポインタ２２を使用していない時に端子を接続しておけば、レーザポインタ２２を常に充電された状態に維持することができる。
【００１８】
図２は画像投影装置の主要部拡大図である。
図２（ａ）は画像投影装置を後方から見た横断面図である。図中右上の切り欠き部分にレーザポインタ２２を乗せる。このとき、レーザポインタ２２の外部電源端子２４と画像投影装置１０の充電用端子１４とが接触する。図２（ｂ）は、画像投影装置１０の本体ケース３６に設けた充電用端子１４を、上方から見た図である。また図２（ｃ）は、レーザポインタ２２の外部電源端子２４を設けた面の一部平面図である。なお、カバー４０を本体ケース３６に取り付けると、カバー４０の裏側のポインタクランプ３８が、レーザポインタ２２を本体ケース３６に押しつけて、レーザポインタ２２を固定する。これにより、画像投影装置１０にレーザポインタ２２を収容して運搬できる。
【００１９】
図３は画像投影装置とレーザポインタの主要部回路ブロック図である。
例えば、画像投影装置１０の電源部２８には、プラグ３０を通じて商用電力が供給される。この電源部２８は投影機能部１２に対して駆動電力を供給する。さらに、充電用端子１４に対してレーザポインタ２２の充電用電力を供給する。レーザポインタ２２には、外部電源端子２４が設けられ、これが駆動用電池２６に接続されている。レーザ素子３２は駆動用電池２６に駆動されて発光する。スイッチ３４はレーザ素子３２をオンオフするためのものである。
【００２０】
再び図１、図２に戻って、投影機能部１２は本体ケース３６に収容される。この本体ケース３６は、充電用端子１４に外部電源端子２４を接続した状態のレーザポインタ２２を収容する。さらに、レーザポインタ２２を本体ケース３６の一部に固定するポインタクランプ３８を有している。図示の実施例では、本体ケース３６に装着するカバー４０がレーザポインタ２２を包囲し、かつ、レーザポインタ２２を固定する。カバー４０はポインタクランプ３８になる。
【００２１】
カバー４０は、投影機能部１２の本体ケース３６の所定場所にレーザポインタ２２を収納する。ここにレーザポインタ２２を固定するポインタクランプ３８を設けたので、レーザポインタ２２を投影機能部１２と一体にして持ち運びできる。従って、プレゼンテーションの際にレーザポインタ２２の準備を忘れることがない。レーザポインタ２２を固定する場所は任意である。その収納方法も任意である。蓋の付いた空間に収納してもよいし、本体ケース３６の外壁に露出した状態で固定しても構わない。レーザポインタ２２の外部電源端子２４を、投影機能部１２の充電用端子１４に接続した状態で固定できるので、レーザポインタ２２を使用していない時に確実に充電ができる。
【実施例２】
【００２２】
図４はリモートコントローラ４４の実施例を示す斜視図である。
リモートコントローラ４４は、電源端子２４とレーザビーム２０を照射する機構とを備える。この電源端子２４はレーザポインタ２２のものと同一規格のものである。画像投影装置１０の投影機能部１２の充電用端子１４は、当該投影機能部１２の動作を遠隔制御するリモートコントローラ４４の電源端子に電気接続される。そして、当該リモートコントローラ４４を充電する端子構造を有している。
【００２３】
リモートコントローラ４４は、投影機能部１２をオンオフしたり、明るさやピントの調整に使用される。このように、プレゼンテーション開始前はリモートコントローラ４４が使用され、プレゼンテーションが始まるとレーザポインタ２２が使用される。充電用端子１４の端子構造を共通化しておくと、一方を使用中に他方を充電しておくことができる。もちろん、両方とも同時に充電可能な構成にするとさらによい。
【実施例３】
【００２４】
図５は実施例３の画像投影装置とスクリーンを示す平面図である。
図３を用いて説明したレーザポインタ２２は、本体ケース３６に収容された状態で点燈されるスイッチ３４を有する。図２を用いて説明したポインタクランプ３８は、レーザポインタ２２と本体ケース３６とを固定している。この姿勢で、投影機能部１２がスクリーン１６に基準状態で画像１８を投影した時に基準位置にレーザビームが照射される。
【００２５】
即ち、レーザポインタ２２は、投影機能部１２の本体ケース３６の所定位置に収容されている。この状態でスイッチ３４を操作して、レーザポインタ２２を点燈させることができる。このとき、レーザビームがスクリーン１６に照射される。プレゼンテーション開始前には、投影装置の画像投影位置の調整作業が行われるが、この作業に、レーザビームを使用できる。しかも、レーザポインタ２２を本体ケース３６に固定したままでよい。従って、非常に作業性がよいし、大きな画面を試写しながら調整するよりも要領よく作業が進む。
【００２６】
図５（ｂ）は、投影機能部１２がスクリーン１６に基準状態で画像１８を投影した状態を示す図である。基準状態というのは、例えば、標準的な距離にスクリーン１６を配置して、標準的な位置に画像投影装置１０を配置して画像１８を投影した状態である。この状態の時に、基準位置にレーザビームが照射される姿勢でレーザポインタ２２を固定しておく。この基準位置というのは、例えば、図５（ｂ）に示した例では画像１８の右下隅の位置である。画像１８の中心でも別の隅でも構わない。レーザポインタ２２を点燈させると自動的にビームスポット２１が基準位置を照射する。
【００２７】
なお、例えば、図５（ｃ）に示すように、ハーフミラー４２とミラー４３を使って画像１８の２以上の隅にレーザビーム２０を同時に照射することができる。図５（ｂ）の画像１８にビームスポット２１とビームスポット２３とを照射できる。これにより、画像１８全体をスクリーン１６に投影しなくとも、画像１８の位置やサイズを事前調整できる。レーザポインタ２２の外部電源端子２４を投影機能部１２の充電用端子１４に接続したままでよいから、この調整作業でレーザポインタ２２の電力を消耗するおそれもない。
【実施例４】
【００２８】
図６は携帯型端末装置の実施例を示す斜視図である。
図の携帯型端末装置４６は、電源端子２４とレーザビーム２０を照射する機構とを備え、画像投影装置１０の投影機能部１２の投影する画像１８を記憶して、投影動作を制御するものである。携帯型端末装置４６には、例えば、ノート型パーソナルコンピュータや手のひらサイズのパッド型のコンピュータが適する。無線ＬＡＮやブルートウースのような無線通信により画像１８を投影機能部１２に送信する。従って、携帯型端末装置４６により、プレゼンテーション用のアプリケーションが制御される。その画像は無線により画像投影装置に転送される。
【００２９】
なお、携帯型端末装置４６から、投影機能部１２の動作を制御するリモートコントローラと同様の信号も送信できるようにするとよい。この携帯型端末装置４６は画像投影装置１０に備え付けのものが望ましい。この携帯型端末装置４６にレーザポインタ２２が一体化されていると、全ての操作が携帯型端末装置４６で可能になる。
【図面の簡単な説明】
【００３０】
【図１】実施例１の画像投影装置を示す斜視図。
【図２】画像投影装置の主要部拡大図。
【図３】画像投影装置とレーザポインタの主要部回路ブロック図。
【図４】リモートコントローラの実施例を示す斜視図。
【図５】実施例３の画像投影装置とスクリーンを示す平面図。
【図６】携帯型端末装置の実施例を示す斜視図。
【符号の説明】
【００３１】
１０  画像投影装置、１２  投影機能部、１４  充電用端子、１６  スクリーン、１８  画像、２０  レーザビーム、２２  レーザポインタ、３６  本体ケース
【図１】
2008003191.tif 000003
【図２】
2008003191.tif 000004
【図３】
2008003191.tif 000005
【図４】
2008003191.tif 000006
【図５】
2008003191.tif 000007
【図６】
2008003191.tif 000008